(57)【特許請求の範囲】
【請求項１】
ガイドトラックが形成されたガイド層と複数の記録層とが分離して積層されたガイド層分離型の光記録媒体であって、
前記ガイドトラック上に前記記録層の位置情報を示す記録層毎の層位置情報領域が前記ガイド層の互いに異なる範囲に形成され、
前記記録層は、前記ガイドトラックに沿った記録トラック上に所定の信号を記録したプリフォーマット領域を有し、
前記複数の記録層各々における前記プリフォーマット領域は当該記録層の前記位置情報を示す前記層位置情報領域のみに対応する領域に設けられたことを特徴とする光記録媒体。
【請求項２】
前記プリフォーマット領域には当該記録層に関する情報が記録されていることを特徴とする請求項１記載の光記録媒体。
【請求項３】
前記光記録媒体は光ディスクであって、その光ディスクの最内周部分に前記層位置情報領域及び前記プリフォーマット領域が形成されていることを特徴とする請求項１記載の光記録媒体。
【請求項４】
ガイドトラックが形成されたガイド層と複数の記録層とが分離して積層され、前記ガイドトラック上に前記記録層の位置情報を示す記録層毎の層位置情報領域が前記ガイド層の互いに異なる範囲に形成され、前記記録層は、前記ガイドトラックに沿った記録トラック上に所定の信号を記録したプリフォーマット領域を有し、前記複数の記録層各々における前記プリフォーマット領域は当該記録層の前記位置情報を示す前記層位置情報領域のみに対応する領域に設けられたガイド層分離型の光記録媒体用の光記録媒体ドライブ装置であって、
サーボ用の第１レーザビームを対物レンズを介して前記光記録媒体に照射して前記ガイド層からの反射光の検出を行うサーボ光学系と、
記録又は再生用の第２レーザビームを前記対物レンズを介して前記光記録媒体に照射して前記複数の記録層のいずれか１の記録層からの反射光の検出を行う記録再生光学系と、
前記記録再生光学系による前記プリフォーマット領域からの反射光の検出レベルに基づいて再生信号を得たか否かを判別する再生信号判別手段と、
前記サーボ光学系による前記層位置情報領域からの反射光の検出レベルに基づいて前記複数の記録層のいずれか１の記録層の位置情報を得る情報読取手段と、
前記再生信号判別手段の判別結果及び前記情報読取手段による読み取り位置情報に応じて前記第２レーザビームを前記複数の記録層のうちの所望の記録層にアクセスさせる制御手段と、を備えることを特徴とする光記録媒体ドライブ装置。
【請求項５】
前記制御手段は、前記情報読取手段によって前記ガイド層から前記所望の記録層の位置情報が得られるように前記第１レーザビームの照射位置を制御する手段と、
前記情報読取手段によって前記所望の記録層の位置情報が得られたときに前記再生信号が得られるように前記記録再生光学系の前記第２レーザビームの合焦位置を制御する手段と、を備えることを特徴とする請求項４記載の光記録媒体ドライブ装置。
【請求項６】
前記制御手段は、前記再生信号が得られるように前記記録再生光学系の前記第２レーザビームの合焦位置を制御する手段と、
前記再生信号判別手段によって前記再生信号が得られたと判別されたときに前記情報読取手段から得られた前記複数の記録層のいずれか１の記録層の位置情報に応じて前記１の記録層から前記所望の記録層までの層数を算出する手段と、
前記層数に応じて前記第２レーザビームの照射位置を前記所望の記録層までフォーカスジャンプさせる手段と、を備えることを特徴とする請求項４記載の光記録媒体ドライブ装置。
【請求項７】
ガイドトラックが形成されたガイド層と複数の記録層とが分離して積層され、前記ガイドトラック上に前記記録層の位置情報を示す記録層毎の層位置情報領域が前記ガイド層の互いに異なる範囲に形成され、前記記録層は、前記ガイドトラックに沿った記録トラック上に所定の信号を記録したプリフォーマット領域を有し、前記複数の記録層各々における前記プリフォーマット領域は当該記録層の前記位置情報を示す前記層位置情報領域のみに対応する領域に設けられたガイド層分離型の光記録媒体にサーボ用の第１レーザビームを対物レンズを介して照射して前記ガイド層からの反射光の検出を行うサーボ光学系と、
記録又は再生用の第２レーザビームを前記対物レンズを介して前記光記録媒体に照射して前記複数の記録層のいずれか１の記録層からの反射光の検出を行う記録再生光学系と、を備えた光記録媒体ドライブ装置の記録層アクセス方法であって、
前記記録再生光学系による前記プリフォーマット領域からの反射光の検出レベルに基づいて再生信号を得たか否か判別する再生信号判別ステップと、
前記サーボ光学系による前記層位置情報領域からの反射光の検出レベルに基づいて前記複数の記録層のいずれか１の記録層の位置情報を得る情報読取ステップと、
前記再生信号判別ステップの判別結果及び前記情報読取ステップによる読み取り位置情報に応じて前記第２レーザビームを前記複数の記録層のうちの所望の記録層にアクセスさせる制御ステップと、を備えることを特徴とする記録層アクセス方法。
【発明の詳細な説明】
【技術分野】
【０００１】
本発明は、多記録層を有するガイド層分離型の光記録媒体、その記録媒体用の光記録媒体ドライブ装置及び記録層アクセス方法に関する。
【背景技術】
【０００２】
多数の記録層を備える光ディスクとしては、記録層毎に記録層とガイド層とが同一の層に形成されたガイド層一体型のディスクと、各記録層とガイド層とが分離形成されたガイド層分離型のディスクとが知られている。ガイド層は位置（アドレス）情報を含むサーボ用の案内構造又は信号がガイドトラックとして形成されている層である。【０００３】
ガイド層一体型のディスクの場合には、記録層の情報が記録されていない未記録部分であってもその記録層と一体のガイドトラックを用いてトラッキング制御が可能であり、ガイドトラックによって定められたトラックに情報を記録することができる（特許文献１及び２参照）。また、単一のレーザビームで情報の記録再生が可能であるという利点もある。【０００４】
一方、ガイド層分離型のディスクの場合には、ガイド層からガイドトラックを読み取るためのサーボ用のレーザビームと、記録層に対して情報を書き込む又は記録情報を読み取るための記録再生用のレーザビームとが必要となり、１つの記録層への情報記録時には、サーボ用のレーザビームの焦点位置をトラッキング制御によりガイド層のガイドトラック上を移動させつつ記録再生用のレーザビームを１つの記録層に対して集光させて情報を書き込むことが行われる（特許文献３参照）。このため、サーボ用のレーザビームをガイド層に照射してその反射光を検出するためのサーボ光学系と、サーボ光学系と同一の対物レンズを用いて記録再生用のレーザビームを記録層に照射してその反射光を検出するための記録再生光学系とが光ディスクドライブ装置には備えられている。このガイド層分離型のディスクの場合、簡単な構造の記録層を積層する構造であるので製造が容易で光ディスクの製造コストを低く抑えることができる。また、ガイド層一体型のディスクよりも記録層の多層化が容易であるため記録容量を大きくすることができるという利点がある。【０００５】
多数の記録層を備える光ディスクに情報を記録する又は記録された情報を再生するときには記録又は再生すべき所望の記録層に早急にアクセスすることが必要となる。すなわち、ガイド層一体型のディスクの場合には単一のレーザビームがほぼ合焦した記録層が所望の記録層であること、ガイド層分離型のディスクの場合には記録再生用のレーザビームがほぼ合焦した記録層が所望の記録層であることを早急に判別することが必要となる。なお、記録層にアクセスするとはレーザビームをフォーカスサーボによって所望の記録層に合焦させるまでの一連の動作をいう。【０００６】
特許文献１には、光ディスクの各記録層のアドレス等を含むプレフォーマットが各記録層間で同一なものは、各記録層間のプレフォーマットの配置をディスク回転方向に相互にずらせて構成し、記録再生時、基準記録層からの位相のずれ量を検出することで、現在アクセスしている記録層がいずれの記録層なのかを検出することが示されている。【０００７】
また、特許文献２には、光ディスクの各記録層の一部に、フォーカスサーボの引き込みが可能な程度の高反射率を有する反射膜形成部を形成し、各記録層の反射膜形成部は、各々異なる位置に配置されることが示されている。
【先行技術文献】
【特許文献】
【０００８】
【特許文献１】特開２００２−３３４４４８号公報
【特許文献２】特開２００５−１２２８６２号公報
【特許文献３】特開平４−３０１２２６号公報
【発明の開示】
【発明が解決しようとする課題】
【０００９】
ガイド層分離型のディスクの場合には、引用文献３には示されていないが、例えば、サーボ用のレーザビームが対物レンズによってガイド層に合焦したときに記録再生光学系に備えられたビームエキスパンダを記録層毎に予め定められた状態に調整を行って記録再生用のレーザビームを所望の記録層にフォーカスジャンプさせて合焦させることが行われている。しかしながら、トラックが形成されていない未記録の記録層からはアドレスを参照することができないので、従来のドライブ装置には所望の記録層に確実にアクセスしたことを判定する構成がないという問題があった。また、記録済みの記録層へのアクセスにおいても、データの再生を行ってアドレスを確認する作業を繰り返す必要があるため、所望の記録層へのアクセスに時間がかかるという問題があった。【００１０】
そこで、本発明が解決しようとする課題には、上記の欠点が一例として挙げられ、所望の記録層に早急にアクセスしてそれを確認することができるガイド層分離型の光記録媒体、光記録媒体ドライブ装置及び記録層アクセス方法を提供することを目的とする。
【課題を解決するための手段】
【００１１】
請求項１に係る発明のガイド層分離型の光記録媒体は、ガイドトラックが形成されたガイド層と複数の記録層とが分離して積層されたガイド層分離型の光記録媒体であって、前記ガイドトラック上に前記記録層の位置情報を示す記録層毎の層位置情報領域が前記ガイド層の互いに異なる範囲に形成され、前記記録層は、前記ガイドトラックに沿った記録トラック上に所定の信号を記録したプリフォーマット領域を有し、前記複数の記録層各々における前記プリフォーマット領域は当該記録層の前記位置情報を示す前記層位置情報領域のみに対応する領域に設けられたことを特徴としている。
【００１２】
請求項４に係る発明の光記録媒体ドライブ装置は、ガイドトラックが形成されたガイド層と複数の記録層とが分離して積層され、前記ガイドトラック上に前記記録層の位置情報を示す記録層毎の層位置情報領域が前記ガイド層の互いに異なる範囲に形成され、前記記録層は、前記ガイドトラックに沿った記録トラック上に所定の信号を記録したプリフォーマット領域を有し、前記複数の記録層各々における前記プリフォーマット領域は当該記録層の前記位置情報を示す前記層位置情報領域のみに対応する領域に設けられたガイド層分離型の光記録媒体用の光記録媒体ドライブ装置であって、サーボ用の第１レーザビームを対物レンズを介して前記光記録媒体に照射して前記ガイド層からの反射光の検出を行うサーボ光学系と、記録又は再生用の第２レーザビームを前記対物レンズを介して前記光記録媒体に照射して前記複数の記録層のいずれか１の記録層からの反射光の検出を行う記録再生光学系と、前記記録再生光学系による前記プリフォーマット領域からの反射光の検出レベルに基づいて再生信号を得たか否かを判別する再生信号判別手段と、前記サーボ光学系による前記層位置情報領域からの反射光の検出レベルに基づいて前記複数の記録層のいずれか１の記録層の位置情報を得る情報読取手段と、前記再生信号判別手段の判別結果及び前記情報読取手段による読み取り位置情報に応じて前記第２レーザビームを前記複数の記録層のうちの所望の記録層にアクセスさせる制御手段と、を備えることを特徴としている。
【００１３】
請求項７に係る発明の記録層アクセス方法は、ガイドトラックが形成されたガイド層と複数の記録層とが分離して積層され、前記ガイドトラック上に前記記録層の位置情報を示す記録層毎の層位置情報領域が前記ガイド層の互いに異なる範囲に形成され、前記記録層は、前記ガイドトラックに沿った記録トラック上に所定の信号を記録したプリフォーマット領域を有し、前記複数の記録層各々における前記プリフォーマット領域は当該記録層の前記位置情報を示す前記層位置情報領域のみに対応する領域に設けられたガイド層分離型の光記録媒体にサーボ用の第１レーザビームを対物レンズを介して照射して前記ガイド層からの反射光の検出を行うサーボ光学系と、記録又は再生用の第２レーザビームを前記対物レンズを介して前記光記録媒体に照射して前記複数の記録層のいずれか１の記録層からの反射光の検出を行う記録再生光学系と、を備えた光記録媒体ドライブ装置の記録層アクセス方法であって、前記記録再生光学系による前記プリフォーマット領域からの反射光の検出レベルに基づいて再生信号を得たか否か判別する再生信号判別ステップと、前記サーボ光学系による前記層位置情報領域からの反射光の検出レベルに基づいて前記複数の記録層のいずれか１の記録層の位置情報を得る情報読取ステップと、前記再生信号判別ステップの判別結果及び前記情報読取ステップによる読み取り位置情報に応じて前記第２レーザビームを前記複数の記録層のうちの所望の記録層にアクセスさせる制御ステップと、を備えることを特徴としている。
【発明を実施するための最良の形態】
【００１４】
請求項１に係る発明の光記録媒体によれば、ガイドトラック上に記録層の位置情報を示す記録層毎の層位置情報領域がガイド層の互いに異なる範囲に形成され、記録層毎に層位置情報領域と対応するプリフォーマット領域が形成されているので、ガイド層の層位置情報領域の読み取りにより所望の記録層の位置情報が得られるときプリフォーマット領域の再生信号の有無に応じて所望の記録層に対してアクセスしたことを判別することができる。よって、かかる光記録媒体を用いることにより所望の記録層に早急にアクセスしてそれを確認することができる。【００１５】
請求項４に係る発明の光記録媒体ドライブ装置及び請求項７に係る発明の記録層アクセス方法によれば、記録再生光学系による光記録媒体のプリフォーマット領域からの反射光の検出レベルに基づいて再生信号を得ると共にサーボ光学系による光記録媒体の層位置情報領域からの反射光の検出レベルに基づいて複数の記録層のいずれか１の記録層の位置情報を得るので、ガイド層の層位置情報領域の読み取りにより所望の記録層の位置情報が得られるときプリフォーマット領域の再生信号の有無に応じて所望の記録層に対してアクセスしてことを判別することができる。よって、かかる光記録媒体ドライブ装置及び記録層アクセス方法を用いることにより所望の記録層に早急にアクセスしてそれを確認することができる。
【図面の簡単な説明】
【００１６】
【図１】本発明のガイド層分離型の光ディスクの各層を示す図である。
【図２】図１の光ディスクの一部断面を示す図である。
【図３】本発明の光ディスクドライブ装置の構成を示す図である。
【図４】図１の光ディスクの所望の記録層についてのアクセス動作を示すフローチャートである。
【図５】図４のアクセス動作時の記録層フォーカス制御信号、記録層フォーカスエラー信号、及び再生信号の変化を示す波形図である。
【図６】本発明の他の実施例としてガイド層分離型の光ディスクの各層を示す図である。
【図７】図６のディスクの一部断面を示す図である。
【図８】図６の光ディスクの所望の記録層についてのアクセス動作を示すフローチャートである。
【図９】図８のアクセス動作時の記録層フォーカス制御信号、記録層フォーカスエラー信号、及び再生信号の変化を示す波形図である。
【図１０】本発明の他の実施例としてガイド層分離型の光ディスクの各層を示す図である。
【図１１】本発明の他の実施例としてガイド層分離型の光ディスクの各層を示す図である。
【実施例】
【００１７】
以下、本発明の実施例を図面を参照しつつ詳細に説明する。【００１８】
図１は本発明の光記録媒体の第１の実施例として３つの記録層を有する光ディスク１０を示している。この光ディスク１０は、図２に示すようにガラス基板１と、ガイド層ＧＬと、３つの記録層Ｌ０〜Ｌ２と、中間層２と、保護層３とによる積層構造となっている。ガイド層ＧＬは基板１上に形成されており、反射膜からなる。記録層Ｌ０〜Ｌ２はそれぞれ半透過反射膜および記録膜からなり、ガイド層ＧＬ側からその順に形成されている。中間層２は紫外線硬化樹脂からなり、ガイド層ＧＬ及び記録層Ｌ０〜Ｌ２各々の間に形成されている。ガイド層ＧＬの反射膜は金属、例えばＡｕからなり、記録層Ｌ０〜Ｌ２の記録膜は有機材料、例えば、アゾ色素からなり、半透過反射膜は誘電体、例えば、Ｎｂ２Ｏ５やＴｉＯ２からなる。保護層３は記録層Ｌ２上に形成され、レーザ光が入射するディスク表面をなす。光ディスク１０の中央には貫通したクランプ孔４が形成されている。【００１９】
ガイド層ＧＬには全面に亘ってガイドトラックが形成され、そのガイドトラックにはアドレス情報が記録されている。【００２０】
図１(a)に示すように、ガイド層ＧＬの最内周からディスク半径方向に所定の距離までのガイドトラックの形成範囲においては、記録層Ｌ０〜Ｌ２に対応した環状の層位置情報領域ＧＴ０〜ＧＴ２が連続的に形成されている。層位置情報領域ＧＴ０〜ＧＴ２各々には１０トラック程のガイドトラックが含まれている。層位置情報領域ＧＴ０には記録層Ｌ０に関するアドレス情報が記録され、層位置情報領域ＧＴ１には記録層Ｌ１に関するアドレス情報が記録され、層位置情報領域ＧＴ２には記録層Ｌ２に関するアドレス情報が記録されている。【００２１】
図１(b)に示すように、記録層Ｌ０にはディスク半径方向において層位置情報領域ＧＴ０と層上の同一位置に環状のプリフォーマット領域ＲＬ０が形成され、記録層Ｌ１には半径方向において層位置情報領域ＧＴ１と同一位置に環状のプリフォーマット領域ＲＬ１が形成され、記録層Ｌ２にはディスク半径方向において層位置情報領域ＧＴ２と同一位置に環状のプリフォーマット領域ＲＬ２が形成されている。プリフォーマット領域ＲＬ０〜ＲＬ２各々に形成されたトラックには、その層に関する情報が予め記録されている。その層に関する情報としては、例えば、アドレス（層ナンバー）、ＴＯＣ、再生信号等のゲイン・オフセット調整値、可動エキスパンダレンズ等による収差補正値、ライトストラティジ、記録・未記録境界位置がある。【００２２】
図３は、本発明による光ディスクドライブ装置の構成を示している。この光ディスクドライブ装置は、上記の光ディスク１０に対して情報の記録／再生を光学的に行うものであり、ディスク駆動系、光学系と、信号処理系とからなる。【００２３】
ディスク駆動系は光ディスク１０をクランプ機構６によって挟み込むように保持してそれをスピンドルモータ７によって回転させる構造を備えている。【００２４】
光学系は更にサーボ光学系と記録再生光学系とに分けられる。【００２５】
サーボ光学系は、光源１１、コリメータレンズ１２、ビームスプリッタ１３、ダイクロイックプリズム１４、波長板１５、対物レンズ１６、集光レンズ１７、及び光検出器１８を備えている。【００２６】
光源１１は波長６６０ｎｍのサーボ用のレーザビーム（第１のレーザビーム）を出射する半導体レーザ素子である。光源１１は図示しないサーボ用光源駆動部によって駆動される。コリメータレンズ１２は光源１１によって出射されたサーボ用のレーザビームを平行光に変換してビームスプリッタ１３に供給する。ビームスプリッタ１３はコリメータレンズ１２から供給された平行レーザビームをそのままダイクロイックプリズム１４に供給する。ダイクロイックプリズム１４は反射・透過特性が光の波長により異なる合成面を有する合成プリズムであり、記録再生用のレーザビームの波長である４０５ｎｍ付近の波長に対しては反射し、ガイド用のレーザビーム、すなわちガイド光の波長である６６０ｎｍ付近の波長に対しては透過となる特性を持っている。よって、ダイクロイックプリズム１４はビームスプリッタ１３から入射したサーボ用のレーザビームをそのまま波長板１５に供給する。【００２７】
波長板１５はレーザビームが光ディスク１０への往路と光ディスク１０からの復路とで２度通過し、それによりビームの偏光の向きを９０度変化させる。これはビームスプリッタ１３の分離面へのダイクロイックプリズム１４側からの戻り記録再生光をｓ偏光にすることである。よって、復路のビームに対してビームスプリッタ１３が反射の作用をすることとなる。このことは後述の記録再生光学系のビームスプリッタ２３における戻り記録再生光についても同様である。また、波長板１５は広帯域のものが使用され、少なくとも光源１１の出射ビーム波長と光源１１の出射ビーム波長に対して１／４波長板として作用する。【００２８】
対物レンズ１６は光軸方向への移動を行うためのフォーカスアクチュエータ１６ａと、光軸に垂直な方向への移動を行うためのトラッキングアクチュエータ１６ｂとを備え、フォーカス方向及びトラッキング方向への微動を電気的に制御することができるようになっている。【００２９】
対物レンズ１６はフォーカスアクチュエータ１６ａによりサーボ用のレーザビームを光ディスク１０のガイド層に収束させることができ、同時に記録又は再生用のレーザビームを複数の記録層Ｌ０〜Ｌ２のいずれか１の記録層に合焦させることができる。また、トラッキングアクチュエータ１６ｂによりそのガイド層ＧＬのガイドトラック上にサーボ用のレーザビームの光スポットを位置させることができ、同時にその１の記録層においてガイドトラックに対応した位置に記録又は再生用のレーザビームの光スポットを照射させることができる。【００３０】
光ディスク１０のガイド層で反射したサーボ用のレーザビームは対物レンズ１６、そして波長板１５を介して平行光のレーザビームとしてダイクロイックプリズム１４に戻る。ダイクロイックプリズム１４はその反射のサーボ用のレーザビームをそのままビームスプリッタ１３に供給する。ビームスプリッタ１３はダイクロイックプリズム１４からのレーザビームをその入射に対してほぼ９０度の角度で反射して集光レンズ２４に供給する。集光レンズ１７は反射のサーボ用のレーザビームを光検出器１８の受光面に集光させてそこにスポットを形成させる。光検出器１８は例えば、４分割の受光面を有し、分割面毎に受光強度に応じたレベルの電圧信号を生成する。【００３１】
記録再生光学系は、サーボ光学系のダイクロイックプリズム１４、波長板１５、対物レンズ１６を共用し、その他に光源２１、コリメータレンズ２２、ビームスプリッタ２３、ビームエキスパンダ２４、集光レンズ２５、及び光検出器２６を備えている。【００３２】
光源２１は波長４０５ｎｍの記録又は再生用の青色レーザビーム（第２のレーザビーム）を出射する半導体レーザ素子である。光源２１は図示しない記録再生用光源駆動部によって駆動される。光源２１から出射されるレーザビームはｐ偏光となるように調整されている。コリメータレンズ２２は光源２１によって出射されたレーザビームを平行光に変換してビームスプリッタ２３に供給する。ビームスプリッタ２３は偏光ビームスプリッタ（ＰＢＳ）であり、コリメータレンズ２２からのレーザビーム入射面に対して４５度の分離面を有し、コリメータレンズ２２から供給されたｐ偏光の平行レーザビームを分離面をそのまま通過させてビームエキスパンダ２４に供給する。【００３３】
ビームエキスパンダ２４はケプラー型のエキスパンダレンズからなり、第１及び第２の補正レンズ２４ａ，２４ｂを備え、第１の補正レンズ２４ａはアクチュエータ２４ｃによって駆動され、光軸方向に移動可能にされている。初期状態では平行光で入射したときに平行光で出射するようにレンズ間隔が調整されている。補正レンズ２４ａを光軸方向に移動させることで、出射するビームが拡散光あるいは収束光へと変化し、それにより対物レンズ１６で集光した記録再生用ビームのサーボ用ビームに対する焦点差を与え、かつ、球面収差を与えることができる。すなわち、第１の補正レンズ２４ａの位置を変更することにより第１及び第２の補正レンズ２４ａ，２４ｂ間の距離が変化して光ディスク１０の記録層毎のフォーカス制御および球面収差補正が可能にされている。このビームエキスパンダ２４に代わる球面収差補正手段としては、ガリレオ型のエキスパンダレンズや液晶素子がある。【００３４】
ダイクロイックプリズム１４は上記したように記録再生用のレーザビームの波長である４０５ｎｍ付近の波長に対しては反射するので、記録再生用のレーザビームは反射されて光ディスク１０の方向へ向かうことになる。【００３５】
対物レンズ１６は上記のように記録又は再生用のレーザビームを複数の記録層Ｌ０〜Ｌ２のいずれか１の記録層に合焦させることができる。【００３６】
光ディスク１０のいずれかの記録層で反射した記録再生用のレーザビームは対物レンズ１６、波長板１５、ダイクロイックプリズム１４、そしてビームエキスパンダ２４を介して平行光のレーザビームとしてビームスプリッタ２３に戻る。その反射レーザビームはｓ偏光となっているので、ビームスプリッタ２３は反射レーザビームをその入射に対して分離面でほぼ９０度の角度で反射して集光レンズ２５に供給する。集光レンズ２５は反射レーザビームを光検出器２６の受光面に集光させてそこにスポットを形成させる。光検出器２６は例えば、４分割の受光面を有し、分割面毎に受光強度に応じたレベルの電圧信号を生成する。【００３７】
なお、上記の光学系は図示しない移送駆動部によって光ディスク１０の半径方向に移動可能にされている。【００３８】
信号処理系は、記録媒体回転制御部３１、記録媒体回転駆動部３２、ガイド層フォーカスエラー生成部３３、ガイド層フォーカス制御部３４、ガイド層トラッキングエラー生成部３５、トラッキング制御部３６、対物レンズ駆動部３７、ガイド層再生信号生成部３８、記録層フォーカスエラー生成部４１、記録層フォーカス制御部４２、ビームエキスパンダ駆動部４３、記録層再生信号生成部４４及びメインコントローラ４５を備えている。【００３９】
記録媒体回転制御部３１はメインコントローラ４５からの指令に応じて記録媒体回転駆動部３２を制御する。記録媒体回転駆動部３２は記録媒体駆動時にはモータ７を回転駆動して光ディスク１０を回転させる。記録媒体回転駆動部３２では光ディスク１０を線速度一定で回転させるためにスピンドルサーボ制御が行われる。【００４０】
ガイド層フォーカスエラー生成部３３は光検出器１８の出力電圧信号に応じてガイド層フォーカスエラー信号を生成する。そのフォーカスエラー信号の生成のためには例えば、非点収差法等の公知の信号生成方法を用いることができる。ガイド層フォーカスエラー信号はサーボ用ビームのフォーカス位置がガイド層ＧＬにあるときゼロレベルとなるＳ字特性の信号である。【００４１】
ガイド層フォーカス制御部３４はメインコントローラ４５からの指令に応じて制御動作し、フォースサーボ制御時にはガイド層フォーカスエラー信号がゼロレベルになるようにフォーカス制御信号を生成する。フォーカス制御信号は対物レンズ１６によるフォーカス部分の制御のために対物レンズ駆動部３７に供給される。【００４２】
ガイド層トラッキングエラー生成部３５は光検出器１８の出力電圧信号に応じてガイド層トラッキングエラー信号を生成する。ガイド層トラッキングエラー信号はガイド用のレーザビームのガイド層ＧＬへの集光スポット位置のガイドトラック中心からの誤差を示す信号である。ガイド層トラッキングエラー生成部３５の出力にはトラッキング制御部３６が接続されている。トラッキング制御部３６はメインコントローラ４５からの指令に応じてトラッキングサーボ制御を行い、ガイド層トラッキングエラー生成部３５によって生成されたガイド層トラッキングエラー信号を入力し、対物レンズ１６によるトラッキング部分の制御のために対物レンズ駆動部３７に対してトラッキング制御信号を供給する。トラッキング制御信号はガイドトラッキングエラー信号がゼロレベルになるように生成される。【００４３】
対物レンズ駆動部２７はガイド層フォーカス制御部３４からのフォーカス制御信号に応じてフォーカスアクチュエータ１６ａを駆動し、対物レンズ１６を光軸方向に移動させることによりサーボ用ビームを集光し、ガイド層ＧＬ上にビームスポットを結ばせる。また、対物レンズ駆動部２７はトラッキング制御部３６からのトラッキング制御信号に応じてトラッキングアクチュエータ１６ｂを駆動し、対物レンズ１６を光軸に垂直な光ディスク１０の半径方向に移動させ、ガイド層ＧＬのガイドトラックにサーボ用ビームスポットを沿わせて追従させる。【００４４】
ガイド層再生信号生成部３８は光検出器１８の出力電圧信号に応じてガイドトラックの記録データを読み出してそのアドレス情報を生成する。アドレス情報は、記録されている層との対応をとるのに利用される。【００４５】
記録層フォーカスエラー生成部４１は、光検出器２６の出力電圧信号に応じて記録層フォーカスエラー信号を生成する。その記録層フォーカスエラー信号の生成のためには例えば、非点収差法等の公知の信号生成方法を用いることができる。記録層フォーカスエラー信号は記録再生用ビームのフォーカス位置が記録層Ｌ０〜Ｌ２各々にあるときにゼロレベルとなるＳ字特性の信号である。記録層フォーカスエラー信号生成部４１の出力には記録層フォーカス制御部４２が接続されている。記録層フォーカス制御部４２は記録層フォーカスエラー信号に応じて制御のためにビームエキスパンダ駆動部４３に記録層フォーカス制御信号を供給する。記録層フォーカス駆動信号は記録層フォーカスエラー信号がゼロレベルになるように生成される。【００４６】
ビームエキスパンダ駆動部４３は記録層フォーカス制御信号に応じてアクチュエータ２４ｃを駆動してビームエキスパンダの補正レンズ２４ａ，２４ｂ間の距離を変えることにより対物レンズ１６に向かうビームの拡散・収束を調整し、光軸上におけるサーボ用ビームの集光位置に対する記録再生用ビームの集光位置を変化させる。すなわち、記録層フォーカス制御信号として所望の記録層に対応する電圧レベルをビームエキスパンダ駆動部４３に供給することにより、ガイド層ＧＬに対して所望の距離だけ離れたいずれか１の記録層に記録再生用ビームを集光させる。【００４７】
記録層再生信号生成部４４は光検出器２６の出力電圧信号に応じていずれか１の記録層に記録してある信号を再生する。【００４８】
メインコントローラ４５は、記録媒体制御部３１によるディスク回転制御のオンオフ、ガイド層フォーカス制御部３４によるフォーカスサーボ制御のオンオフ、トラッキング制御部３６によるトラッキングサーボ制御のオンオフ、及び記録層フォーカス制御部４２によるフォーカスサーボ制御のオンオフを制御する。【００４９】
かかる構成の光ディスクドライブ装置においては、情報を光ディスク１０のいずれかの記録層に記録する記録モードと、光ディスク１０の記録層に記録された情報を再生する再生モードとがある。【００５０】
次に、かかる光ディスクドライブ装置の記録モードにおいて、光ディスク１０の所望の記録層に情報を記録する際の記録再生用レーザビームの所望の記録層へのアクセス動作について説明する。【００５１】
メインコントローラ４５は操作部（図示せず）からの記録指令に応じて記録モードの動作を開始し、図４に示すように、先ず、記録媒体回転制御部３１に回転開始指令を行って光ディスク１０を回転駆動させ（ステップＳ１）、上記した記録再生用光源駆動部及びガイド用光源駆動部に対して発光駆動指令を発生する（ステップＳ２）。サーボ用光源駆動部は光源１１を駆動してサーボ用のレーザビームを発射させ、記録再生用光源駆動部は光源２１を再生用パワーにて駆動して再生用のレーザビームを発射させる。なお、ステップＳ１及びＳ２は既に光ディスク１０が回転駆動され、光源１１及び２１が発光駆動されている場合には省略される。【００５２】
メインコントローラ４５は、ガイド層フォーカス制御部３４にフォーカスサーボ制御のオンを指令し、トラッキング制御部３６にトラッキングサーボ制御のオンを指令する（ステップＳ３）。フォーカスサーボ制御のオンにより、サーボ光学系、ガイド層フォーカスエラー生成部３３、ガイド層フォーカス制御部３４及び対物レンズ駆動部３７からなるフォーカスサーボループが形成されるので、ガイド層フォーカス制御部３４はガイド層フォーカスエラー信号生成部３３で生成されたフォーカスエラー信号がゼロレベルになるようにガイド層フォーカス制御信号を生成し、対物レンズ駆動部３７によりフォーカスアクチュエータ１６ａが駆動される。よって、対物レンズ１６の光軸方向における位置が制御されるので、サーボ用のレーザビームの焦点が光ディスク１０のガイド層ＧＬに位置し、ガイド層ＧＬ上に集光スポットが形成される。一方、トラッキングサーボ制御のオンにより、サーボ光学系、ガイド層トラッキングエラー生成部３５、トラッキング制御部３６及び対物レンズ駆動部３７からなるトラッキングサーボループが形成されるので、トラッキング制御部３６はガイド層トラッキングエラー生成部３５で生成されたトラッキングエラー信号がゼロレベルになるようにトラッキング制御信号を生成し、対物レンズ駆動部３７によりトラッキングアクチュエータ１６ｂが駆動される。よって、対物レンズ１６のディスク半径方向における位置が制御されるので、サーボ用のレーザビームの集光スポットが光ディスク１０のガイド層ＧＬのガイドトラック上に位置することになる。【００５３】
メインコントローラ４５はガイド層ＧＬの現トラックのアドレスをガイド層再生信号生成部３８の出力信号から読み取り（ステップＳ４）、読み取った現トラックアドレスに応じて所望の記録層（記録層Ｌ０〜Ｌ２のうちのいずれか１）に対応した層位置情報領域にサーボ用ビームのスポット光を移動させる（ステップＳ５）。所望の記録層が例えば、記録層Ｌ０であるならば、層位置情報領域ＧＴ０にサーボ用ビームのスポット光を移動させる。サーボ用ビームのスポット光は上記の移送駆動部を制御してジャンプ移動させることができる。【００５４】
メインコントローラ４５は、ステップＳ５の実行後、記録再生用のレーザビームの焦点が所望の記録層上に位置するように記録層フォーカス制御部４２に対してサーチ指令を発する（ステップＳ６）。ステップＳ６のサーチ指令に応じて記録層フォーカス制御部４２は先ず、アクチュエータ２４ｃを駆動して補正レンズ２４ａをその移動範囲の一端から他端に向けて徐々に移動させるようにレベル変化する記録層フォーカス制御信号をビームエキスパンダ駆動部４３に対して出力し、これにより補正レンズ２４ａの位置が所望の記録層に対応した位置に移動させることができる。記録再生用のレーザビームの焦点がいずれか１の記録層に位置すると、記録層フォーカスエラー信号生成部４１から出力される記録層フォーカスエラー信号はゼロクロスする。【００５５】
メインコントローラ４５は、ステップＳ６の実行後、所望の記録層についての再生信号が得られているか否かを判別する（ステップＳ７）。記録再生用のレーザビームの焦点が正常に所望の記録層上に位置しているならば、その所望の記録層に形成されているプリフォーマット領域の記録情報が変調された再生信号として記録層再生信号生成部４４から得られる。所望の記録層が例えば、記録層Ｌ０であるならば、サーボ用のレーザビームの集光スポットは層位置情報領域ＧＴ０内にあるとき、記録再生用のレーザビームは記録層Ｌ０のプリフォーマット領域ＲＬ０の記録情報を読み出すことになるので、記録層再生信号生成部４４から再生信号が得られることになる。ここで、記録層Ｌ０以外の記録層上に記録再生用のレーザビームの集光スポットがほぼ位置しているならば、記録再生用のレーザビームはプリフォーマット領域を照射しないので、再生信号が得られない。これは図１及び図２に示したように、記録層Ｌ０〜Ｌ２各々のプリフォーマット領域の形成位置がディスク半径方向で互いに異なっていることによる。従って、ステップＳ７では再生信号が得られているか否かの判別によって記録再生用のレーザビームの焦点が所望の記録層にあることが判別されている。ここで、所望の記録層であるかどうかの判別は再生信号の有無により行われるため、プリフォーマット領域の記録データを読み出す必要はない。【００５６】
図５はステップＳ６の実行により記録再生用のレーザビームの焦点が所望の記録層上に位置して再生信号が得られるまでの記録層フォーカス制御信号、記録層フォーカスエラー信号、及び再生信号の変化を示している。ここで、記録層フォーカス制御信号は補正レンズ２４ａの位置に対応したレベルとなっている。記録層フォーカスエラー信号は記録再生用のレーザビームの焦点が記録層を横切る際に振幅が生じ、その正の振幅と負の振幅との間のゼロクロス点は記録層上にその焦点があることを示している。この図５の例では２つの記録層を横切って所望の記録層に到達している。記録層についての再生信号は図５に示したように、記録再生用のレーザビームの焦点が層位置情報領域にあるときには複数の周波数を含む信号となる。この再生信号は記録再生用のレーザビームの焦点が未記録の記録層を横切る際にレベルを生じるので、その横切りの際の信号の周波数成分以外の所定の周波数成分のレベルが閾値以上となったとき所望の記録層のプリフォーマット領域の再生により得られたと判別することができる。そして、その判別は記録層のプリフォーマット領域の記録データを読み出す前に行うことができる。【００５７】
メインコントローラ４５は、ステップＳ７で再生信号が得られた場合には、記録層フォーカス制御部４２にフォーカスサーボ制御のオンを指令する（ステップＳ８）。このフォーカスサーボ制御のオンにより、記録再生光学系、記録層フォーカスエラー生成部４１、記録層フォーカス制御部４２、及びビームエキスパンダ駆動部４３からなるフォーカスサーボループが形成されるので、記録層フォーカス制御部４２は記録層フォーカスエラー信号生成部４１で生成されたフォーカスエラー信号がゼロレベルになるように記録層フォーカス制御信号を生成し、ビームエキスパンダ駆動部４３によりアクチュエータ２４ｃが駆動される。よって、補正レンズ２４ａの位置、すなわち、補正レンズ２４ａ，２４ｂ間の距離が制御されるので、記録再生用のレーザビームの焦点が光ディスク１０の所望の記録層に確実に位置することになる。【００５８】
メインコントローラ４５は、ステップＳ８の実行後、所望の記録層の未記録領域に対する記録動作に移行することになる。この記録動作は、ガイド層フォーカスサーボ及びガイド層トラッキングサーボがオンの状態で、上記のように所望の記録層への記録層フォーカスサーボがオンの状態で実行される。よって、サーボ用のレーザビームがガイド層ＧＬのガイドトラックを追従する一方、所望の記録層に記録再生用のレーザビームが集光し、光源２１を記録用パワー（上記の再生用パワーより大のパワー）で駆動して、記録データに応じて変調駆動させることにより記録が行われる。これにより、所望の記録層上にはガイド層ＧＬのガイドトラックに沿って記録トラックが形成される。【００５９】
かかる第１の実施例においては、光ディスク１０のガイド層ＧＬの層位置情報領域ＧＴ０〜ＧＴ２と記録層Ｌ０〜Ｌ２のプリフォーマット領域ＲＬ０〜ＲＬ２とは各々同一のディスク半径範囲で対応して位置し、それらの領域はプリフォーマットされている。よって、記録層の層位置情報領域の再生信号からアドレス読取を行う前にガイド層ＧＬの層位置情報領域の再生信号に応じて各記録層の判別が可能であり、短時間で所望の記録層へのアクセスを行うことができる。また、記録層Ｌ０〜Ｌ２のプリフォーマット領域ＲＬ０〜ＲＬ２はガイド層ＧＬのトラックに応じて形成されているので、ガイド層ＧＬに対するトラッキングサーボ制御により記録再生用のレーザビームがプリフォーマット領域ＲＬ０〜ＲＬ２のトラックに対してほとんどずれることがない。これにより、プリフォーマット領域ＲＬ０〜ＲＬ２の幅を狭くしても問題なく記録層の判別が可能であり、更に、記憶層Ｌ０〜Ｌ２各々の未記録領域を十分に確保することができる。【００６０】
所望の記録層のプリフォーマット領域へのアクセス直後にガイド層ＧＬの層位置情報領域から情報が得られ、その所望の記録層に対するドライブ装置の初期調整や初期設定が行われることにより、安定的な記録又は再生を行うことができる。記録層毎に必要な情報をガイド層ＧＬの層位置情報領域に記録しておくことにより記録層へのアクセスや情報を取り出すことを簡単にし、記録又は再生までに必要な時間を短縮する効果がある。【００６１】
なお、ガイド層ＧＬの層位置情報領域ＧＴ０〜ＧＴ２と記録層Ｌ０〜Ｌ２のプリフォーマット領域ＲＬ０〜ＲＬ２の記録方法については、プリフォーマッタによって出荷前に記録をしておいても良いし、ドライブ装置で光ディスクのフォーマット処理としてガイド層ＧＬ及び各記録層Ｌ０〜Ｌ２の記録を行っても良い。【００６２】
また、上記の第１の実施例では、所望の記録層に対応するディスク半径方向のアドレス位置に移動を行ってから所望の記録層へのフォーカスサーチを行ったが、所定の半径位置で記録層へのフォーカスの引き込みを行い、記録層のプリフォーマット領域とガイド層のアドレスとの対応を判定し、記録再生用のレーザビームがどの記録層に合焦したかを確認した後に、記録再生用のレーザビームをフォーカスジャンプ等で所望の記録層へのアクセスを行っても良い。【００６３】
図６は本発明の第２の実施例として光ディスク１０を示している。この光ディスク１０は図７に示すようにガラス基板１と、ガイド層ＧＬと、３つの記録層Ｌ０〜Ｌ２と、中間層２と、保護層３とから構成される。ガイド層ＧＬは基板１上に形成されている。記録層Ｌ０〜Ｌ２は反射膜からなり、ガイド層ＧＬ側からその順に形成されている。中間層２はガイド層ＧＬ及び記録層Ｌ０〜Ｌ２各々の間に形成されている。光ディスク１０の材料は図２に示したものと同様である。【００６４】
ガイド層ＧＬには全面に亘ってガイドトラックが形成され、そのガイドトラックにはアドレス情報が記録されている。【００６５】
図６(a)に示すように、ガイド層ＧＬの最内周から半径方向に例えば、１０周分のガイドトラックの形成範囲においては、記録層Ｌ０〜Ｌ２に対応した層位置情報領域ＧＴ０〜ＧＴ２が１２０度の等間隔で形成されている。層位置情報領域ＧＴ０には記録層Ｌ０に関する情報が記録され、層位置情報領域ＧＴ１には記録層Ｌ１に関する情報が記録され、層位置情報領域ＧＴ２には記録層Ｌ２に関する情報が記録されている。【００６６】
図６(b)に示すように、記録層Ｌ０の最内周部分にはガイド層ＧＬの層位置情報領域ＧＴ０と同一形状のプリフォーマット領域ＲＬ０が層位置情報領域ＧＴ０と同一位置に形成され、記録層Ｌ１の最内周部分にはガイド層ＧＬの層位置情報領域ＧＴ１と同一形状のプリフォーマット領域ＲＬ１が層位置情報領域ＧＴ１と同一位置に形成され、記録層Ｌ２の最内周部分にはガイド層ＧＬの層位置情報領域ＧＴ２と同一形状のプリフォーマット領域ＲＬ２が層位置情報領域ＧＴ２と同一位置に形成されている。すなわち、層位置情報領域ＧＴ０〜ＧＴ２とプリフォーマット領域ＲＬ０〜ＲＬ２とは各々対応して光ディスク１０において同一角度範囲に位置している。プリフォーマット領域ＲＬ０〜ＲＬ２はトラックが形成されたプリフォーマット領域である。プリフォーマット領域ＲＬ０〜ＲＬ２各々のトラックには、層位置情報領域ＧＴ０〜ＧＴ２と同様に、その層に関する情報が予め記録されている。その層に関する情報としては、例えば、アドレス（層ナンバー）、ＴＯＣ、再生信号等のゲイン・オフセット調整値、可動エキスパンダレンズ等による収差補正値、ライトストラティジ、記録・未記録境界位置がある。【００６７】
次に、この図６及び図７の光ディスク１０を図３に示した光ディスクドライブ装置の記録モードにおいて、所望の記録層に情報を記録する際の記録再生用レーザビームの所望の記録層へのアクセス動作について説明する。【００６８】
メインコントローラ４５は操作部（図示せず）からの記録指令に応じて記録モードの動作を開始し、図８に示すように、先ず、記録媒体回転制御部３１に回転開始指令を行って光ディスク１０を回転駆動させ（ステップＳ１１）、上記した記録再生用光源駆動部及びガイド用光源駆動部に対して発光駆動指令を発生する（ステップＳ１２）。更に、ガイド層フォーカス制御部３４にフォーカスサーボ制御のオンを指令し、トラッキング制御部３６にトラッキングサーボ制御のオンを指令する（ステップＳ１３）。ステップＳ１１〜Ｓ１３は図４のステップＳ１〜Ｓ３と同一である。ステップＳ１３の実行後、サーボ用のレーザビームの集光スポットが光ディスク１０のガイド層ＧＬの最内周のスタート位置を含むガイドトラック上に位置することになる。【００６９】
メインコントローラ４５は、ステップＳ１３の実行後、記録再生用のレーザビームの焦点がいずれかの記録層上に位置するように記録層フォーカス制御部４２に対してサーチ指令を発する（ステップＳ１４）。ステップＳ１４のサーチ指令に応じて記録層フォーカス制御部４２は先ず、アクチュエータ２４ｃにより補正レンズ２４ａをその移動範囲の一端から他端に向けて徐々に移動させるようにレベル変化するフォーカス制御信号をビームエキスパンダ駆動部４３に対して出力し、これにより補正レンズ２４ａの位置がいずれか１の記録層（例えば、記録層Ｌ０）に対応した位置に移動させることができる。【００７０】
メインコントローラ４５は、ステップＳ１４の実行後、記録再生用のレーザビームの焦点が記録層にあるか否かを判別する（ステップＳ１５）。この判別は記録層フォーカスエラー信号生成部４１から出力される記録層フォーカスエラー信号に応じて行われる。記録再生用のレーザビームの焦点が１の記録層に到達すると、記録層フォーカスエラー信号はゼロクロスする。記録層フォーカスエラー信号のゼロクロスが検出されたときにメインコントローラ４５は記録再生用のレーザビームの焦点が記録層にあると判別し、次に記録層フォーカス制御部４２にフォーカスサーボ制御のオンを指令する（ステップＳ１６）。このステップＳ１６は図４のステップＳ８と同一である。ステップＳ１６の実行により記録再生用のレーザビームの焦点が光ディスク１０の１の記録層に位置するようにフォーカスサーボ制御が開始される。【００７１】
メインコントローラ４５は、再生信号が得られているか否かを判別する（ステップＳ１７）。記録再生用のレーザビームの焦点が正常に１の記録層上に位置しているならば、その１の記録層に形成されているプリフォーマット領域の記録情報が再生信号として記録層再生信号生成部４４から得られる。再生信号が得られているときがその１の記録層に形成されているプリフォーマット領域に記録再生用のレーザビームが照射されているときである。よって、再生信号が得られている場合にはメインコントローラ４５はガイド層ＧＬの現トラックのアドレスをガイド層再生信号生成部３８の出力信号から読み取り（ステップＳ１８）、読み取った現トラックのアドレスに応じて１の記録層を判別する（ステップＳ１９）。すなわち、ステップＳ１９では１の記録層が記録層Ｌ０〜Ｌ２のいずれであるかが現トラックアドレスに応じて判別される。１の記録層が判別されると、１の記録層から所望の記録層までの層数Ｎを算出する（ステップＳ２０）。例えば、１の記録層が記録層Ｌ０であり、所望の記録層が記録層Ｌ２である場合には、層数Ｎは２となる。記録再生用のレーザビームの集光スポットの層数Ｎだけのフォーカスジャンプを記録層フォーカス制御部４２に指令する（ステップＳ２１）。ステップＳ２１の指令に応じて記録層フォーカス制御部４２が層数Ｎに対応したフォーカスジャンプを示すフォーカス制御信号をビームエキスパンダ駆動部４３に対して出力し、ビームエキスパンダ駆動部４３はアクチュエータ２４ｃを駆動する。これにより補正レンズ２４ａの位置が所望の記録層に対応した位置に移動させることができる。その移動後は、記録再生用のレーザビームの焦点が光ディスク１０の所望の記録層に正確に位置するようにフォーカスサーボ制御が行われる。【００７２】
図９はステップＳ１４の記録層のサーチにより記録再生用のレーザビームの焦点が１の記録層上に位置して再生信号が得られ、その後、ステップＳ２１で所望の記録層へフォーカスジャンプするまでの記録層フォーカス制御信号、記録層フォーカスエラー信号、及び再生信号各々の変化を示している。１の記録層へのサーチが完了すると、１の記録層へのフォーカスサーボ制御がオンとなり、記録層再生信号が得られているときにガイド層ＧＬの現トラックのアドレスに応じて１の記録層が判別される。その後、所望の記録層までの層数Ｎが算出されると、所望の記録層へのフォーカスジャンプが実行される。記録層フォーカス制御信号は図９に示すように、ジャンプパルスとブレーキパルスとからなる。この図９ではＮは３となっており、フォーカスジャンプ期間内においてゼロクロスが３回検出されたときフォーカスジャンプが終了している。フォーカスジャンプの終了と同時に所望の記録層へのフォーカスサーボ制御がオンとなっている。【００７３】
このように、第２の実施例においては、光ディスク１０のガイド層ＧＬの層位置情報領域ＧＴ０〜ＧＴ２と記録層Ｌ０〜Ｌ２のプリフォーマット領域ＲＬ０〜ＲＬ２とは同一のディスク半径範囲で同一角度範囲に対応して位置し、それらの領域はプリフォーマットされている。よって、いずれか１の記録層に対してフォーカス引き込みを行ってその１の記録層の再生信号が現れているときのガイド層ＧＬのガイドトラックの再生信号からの読取アドレスに応じて１の記録層を特定することができるので、所望の記録層にフォーカスジャンプでアクセスを行うことによって記録又は再生が行われるまでの時間を短縮することができる。【００７４】
なお、ステップＳ１６のフォーカスサーボ制御のオン後、１の記録層においてプリフォーマット領域が現れるまでフォーカスジャンプをしながらその記録領域を探索しても良いし、１の記録層へのフォーカス引き込みの際にスピンドルモータ７の回転数を上げても良い。このようにすることにより、いち早くプリフォーマット領域が見つかり１の記録層の確認を行うことができるため、記録又は再生が行われるまでの時間をさらに短縮するという効果が得られる。【００７５】
また、図８のアクセス動作による所望の記録層へアクセスは第１の実施例で示した図１の光ディスク１０でも可能である。この場合には、１の記録層へ一旦フォーカスの引き込みを行った後、ガイド層ＧＬを用いてディスク半径方向にガイドトラックを移動をしながらプリフォーマット領域を探索しても良い。このようにすることで、記録層毎にプリフォーマット領域をディスク半径方向に異なる位置に配置した場合でも、所望の記録層へのアクセス時間の短縮が可能である。【００７６】
上記の第１の実施例では、光ディスクの記録層毎にプリフォーマット領域が半径方向に異なる位置に配置され、第２の実施例では、プリフォーマット領域が記録層毎に光ディスクの円周方向の異なる位置に配置されているが、ランダムに配置されても良い。記録層毎に記録されている領域が面内で異なる位置に存在し、その領域とガイド層上のアドレスが１対１で対応していれば良い。例えば、図１０に示すように、記録層Ｌ０〜Ｌ２のプリフォーマット領域ＲＬ０〜ＲＬ２とそれに対応するガイド層ＧＬの層位置情報領域ＧＴ０〜ＧＴ２の形状及び位置を一致させ、複数のプリフォーマット領域ＲＬ０〜ＲＬ２を記録層Ｌ０〜Ｌ２内に配置しても良い。【００７７】
更に、記録層各々のプリフォーマット領域は、層位置情報領域との対応が取れていればよく、プリフォーマット領域と対応する層位置情報領域は同じ形状である必要はない。例えば、図１１に示すようなプリフォーマット領域と層位置情報領域との対応関係であっても良い。すなわち、図１１(a)に示すように、ガイド層ＧＬの最内周から半径方向に例えば、１０周分のガイドトラックの形成範囲においては、記録層Ｌ０〜Ｌ２に対応した層位置情報領域ＧＴ０〜ＧＴ２が１２０度の等間隔で形成されている。これは図６(a)に示したガイド層ＧＬの層位置情報領域ＧＴ０〜ＧＴ２と同様である。一方、記録層Ｌ０〜Ｌ２には、図１１(b)に示すように、層位置情報領域ＧＴ０〜ＧＴ２に対応したプリフォーマット領域ＲＬ０〜ＲＬ２が同一半径位置に形成されているが、プリフォーマット領域ＲＬ０が層位置情報領域ＧＴ０と同一半径位置で層位置情報領域ＧＴ０の形成位置を除く位置に扇状に形成され、プリフォーマット領域ＲＬ１が層位置情報領域ＧＴ１と同一半径位置で層位置情報領域ＧＴ１の形成位置を除く位置に扇状に形成され、プリフォーマット領域ＲＬ２が層位置情報領域ＧＴ２と同一半径位置で層位置情報領域ＧＴ２の形成位置を除く位置に扇状に形成されている。こうすることにより、プリフォーマット領域が必然的に広くなるので、プリフォーマット領域に記録する記録層に関する情報量をより多くすることができるという利点がある。この図１１の例の場合には、ガイド層ＧＬのプリフォーマット領域の再生信号が無いことを検出することによって所望の記録層に合焦した後、ディスクの回転を待って所望の記録層のプリフォーマット領域を読めば良い。【００７８】
そして、記録層各々のプリフォーマット領域の記録情報は当該記録層に関する情報に限定されない。再生信号が得られれば良いので何らかの情報が記録されていれば良い。また、記録層の数は上記の実施例に示した３記録層に限定されず、複数の記録層であれば良い。【００７９】
本発明は光ディスクドライブ装置だけでなく光ディスクドライブ装置を備えたハードディスク記録再生装置等の他の装置にも適用することができる。
【符号の説明】
【００８０】
７  スピンドルモータ
１０  光ディスク
１１，２１  光源
１６  対物レンズ
２４  ビームエキスパンダ
１８，２６  光検出器
４５  メインコントローラ
【図１】
0005403769.tif 000002
【図２】
0005403769.tif 000003
【図３】
0005403769.tif 000004
【図４】
0005403769.tif 000005
【図５】
0005403769.tif 000006
【図６】
0005403769.tif 000007
【図７】
0005403769.tif 000008
【図８】
0005403769.tif 000009
【図９】
0005403769.tif 000010
【図１０】
0005403769.tif 000011
【図１１】
0005403769.tif 000012